(57)【要約】【課題】  複数個セットされたロール製品についてそのまま収容して容易に持ち運びすることができ、しかも、その中身を隠した状態で持ち運びすることができる買い物袋を提供する。【解決手段】  不透明な可撓性布材料によって形成されており、複数のロール製品を収容可能な袋体と、この袋体の上部に取付けられた持ち手部とを備えている。【選択図】  図１
2006334215.tif 000002
【特許請求の範囲】
【請求項１】
不透明な可撓性布材料によって形成されており、複数のロール製品を収容可能な袋体と、該袋体の上部に取付けられた持ち手部とを備えていることを特徴とする買い物袋。
【請求項２】
不透明な可撓性布材料によって形成されており、前記袋体の開口部を覆う蓋カバーをさらに備えたことを特徴とする請求項１に記載の買い物袋。
【請求項３】
前記持ち手部が、長さ可変の帯状持ち手部であることを特徴とする請求項１又は２に記載の買い物袋。
【発明の詳細な説明】
【技術分野】
【０００１】
本発明は、購買者が販売店へ持参して使用する買い物袋に関し、特に、複数個がセットで包装された状態のロール製品を収容できる買い物袋に関する。
【背景技術】
【０００２】
購買者が持参する買い物袋として、スーパの店内専用籠にセット可能な開口部を有する買い物袋が公知である（例えば、特許文献１参照）。
【０００３】
【特許文献１】特開２０００−２２５０１５号公報
【発明の開示】
【発明が解決しようとする課題】
【０００４】
このような公知の買い物袋によれば、ある程度の量の購買品を収容することは可能であるが、複数個セットされたトイレットペーパ等のロール製品をそのままの状態で収容することはできない。
【０００５】
一般に、スーパ、量販店、小売店等は、このような複数個セットで包装されているトイレットペーパを収容する大きな買い物袋を用意しておらず、複数個セットのトイレットペーパを販売する場合は、メーカによって透明包装がなされたものにシールを付着する等してそのまま購買者に渡している。
【０００６】
従って、購買者は、中身の分かるこのようなトイレットペーパセットをむき出しの状態で運ばざるを得ず、持ち運びが容易でないことはもちろんのこと、持ち運びの場所によっては中身が他人に知られて恥ずかしい思いをすることがある。
【０００７】
従って本発明は、従来の上述した問題点を解消しようとするものであり、その目的は、複数個セットされたロール製品についてそのまま収容して容易に持ち運びすることができ、しかも、その中身を隠した状態で持ち運びすることができる買い物袋を提供することにある。
【課題を解決するための手段】
【０００８】
本発明によれば、不透明な可撓性布材料によって形成されており、複数のロール製品を収容可能な袋体と、この袋体の上部に取付けられた持ち手部とを備えている買い物袋が提供される。
【０００９】
袋体が複数のロール製品を収容可能であり不透明な布材料で形成されていること、及び持ち手部が設けられていることにより、複数個セットで包装されているトイレットペーパ等のロール製品セットを購入後、そのまま収納して簡単に持ち運びでき、しかも、その中身を他人から隠した状態で持ち運びすることが可能である。
【００１０】
不透明な可撓性布材料によって形成されており、袋体の開口部を覆う蓋カバーをさらに備えたことが好ましい。
【００１１】
持ち手部が、長さ可変の帯状持ち手部であることも好ましい。
【発明の効果】
【００１２】
本発明によれば、複数個セットで包装されているトイレットペーパ等のロール製品セットを購入後、そのまま収納して簡単に持ち運びでき、しかも、その中身を他人から隠した状態で持ち運びすることが可能である。
【発明を実施するための最良の形態】
【００１３】
図１は本発明の一実施形態として拡げた状態の買い物袋の外観を概略的に示す斜視図であり、図２はこの買い物袋の内部にトイレットペーパセットを収容した状態を説明する透視図であり、図３はこの拡げた状態の買い物袋の外観を図１とは異なる方向から示した斜視図であり、図４は折り畳んだ状態の買い物袋を示す斜視図である。
【００１４】
これらの図に示すように、この買い物袋は、防水加工されている不透明の可撓性の布材料を裁断し、縫製して形成された袋体１０及び蓋カバー１１と、この袋体１０の上部に取付けられたベルト形状の持ち手部１２とから主として構成されている。不透明の可撓性の布材料としては、例えばポリエステル布が望ましいが、ポリエステル布以外に種々のものが適用可能である。防水性のあることが望ましいが、防水性がなくても良い。ただし、軽量な布であることが望ましい。持ち手部１２としては、後述するようにボタンホールを設けるためには、ベルト形状であることが必要であり、織布ベルト、例えばカラーベルト、であることが望ましいが、織布である必要性は必ずしもない。ボタンホール以外の構造で長さ調整可能な場合は、ベルト形状でなくとも良いことは明らかである。
【００１５】
袋体１０は、拡げた状態において、ただ１つの開口部１０ａを有しており、図２から分かるように、１２個のトイレットペーパセット１３がそのまま入る収容サイズ（３５０×２００×２００ｍｍ以上）及び袋形状を有している。袋体１０の開口部１０ａは、この袋体１０と一体的に裁断、縫製された蓋カバー１１によって覆うことができるように構成されている。
【００１６】
袋体１０の表面及び蓋カバー１１の裏面には、それぞれマジックテープ１４及び１５が取付けられており、これらが互いに結合することによってワンタッチで蓋カバー１１が安定して止められ、開口部１０ａが閉じられる。マジックテープ１４及び１５は１個所のみに設けても良いし、本実施形態のごとく２個所に設けても、それ以上の個所に設けても良い。止め操作が簡単なことからマジックテープを用いることが望ましいが、それ以外の止め構造を採用しても良い。
【００１７】
持ち手部１２の一方の端部１２ａは袋体１０に縫着されており（この例では飾りのボタン１６が取付けられている）、他方の端部１２ｂには、この持ち手部１２に沿って複数のボタンホール１７が設けられている。袋体１０に取付けられたボタン１８を選択的にボタンホール１７に係合させることにより、持ち手部１２の長さ調節を行うことができる。本実施形態では、３つのボタンホール１７が設けられており、持ち手部１２の長さを例えば３４ｃｍ、４０ｃｍ又は４５ｃｍの３段階に変化させられるように構成されている。これにより、例えば自転車のハンドル掛け用、手持ち用、肩掛け用等に適用させることができる。ボタンホールの数は１つ以上いくつであっても良く、また、その位置も任意に設定可能である。
【００１８】
図３に示すように、袋体１０の外面にはポケット１９が設けられている。このポケット１９は、買い物袋内に購買品を入れて使用している状態では、小物入れとして機能する。一方、買い物袋を使用しない状態では、このポケット１９を裏返し、その内部に折り畳んだ買い物袋全体を収容させることができる。その状態が図４に示されている。このように、裏返したポケット１９の内部に全体が収容されるため、使用しない場合には、非常にコンパクトに持ち運びすることができる。
【００１９】
以上説明したように、本実施形態によれば、袋体１０が１２個のトイレットペーパセット１３をそのまま入れることができる収容サイズを有しており、袋体１０及び蓋カバー１１が不透明な布材料で形成されているため、さらに、持ち手部１２が設けられているため、トイレットペーパセット１３を購入後、そのまま入れて簡単に持ち運びでき、しかも、中身を他人から隠した状態で持ち運びすることができる。また、持ち手部１２の長さが持ち運びの形態に合わせて調節できるので、その意味からも持ち運びが非常に容易となる。さらに、軽量の布材料を用い、かつ非使用時には非常にコンパクトに収納できるため、常時携帯し、思いついた時にトイレットペーパ等のロール製品の購入を図ることができる。
【００２０】
なお、本発明の買い物袋は、トイレットペーパ等のロール製品に限らず、他のあらゆる購買品、品物を収容して持ち運びする際にも、当然に利用することができる。
【００２１】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００２２】
【図１】本発明の一実施形態として拡げた状態の買い物袋の外観を概略的に示す斜視図である。
【図２】買い物袋の内部にトイレットペーパセットを収容した状態を説明する透視図である。
【図３】拡げた状態の買い物袋の外観を図１とは異なる方向から示した斜視図である。
【図４】折り畳んだ状態の買い物袋を示す斜視図である。
【符号の説明】
【００２３】
１０  袋体
１０ａ  開口部
１１  蓋カバー
１２  持ち手部
１２ａ、１２ｂ  端部
１３  トイレットペーパセット
１４、１５  マジックテープ
１６、１８  ボタン
１７  ボタンホール
１９  ポケット
【図１】
2006334215.tif 000003
【図２】
2006334215.tif 000004
【図３】
2006334215.tif 000005
【図４】
2006334215.tif 000006